【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
（ａ）イソソルビドの均質水溶液を入手し；
（ｂ）工程（ａ）の均質水溶液を反応器に供給し；
（ｃ）１種若しくはそれ以上のグリコール及び１種若しくはそれ以上のジカルボン酸を、工程（ａ）の水溶液中に、又は工程（ｂ）の前に、工程（ｂ）の間に及び／若しくは工程（ｂ）の後に、工程（ｂ）の反応器中に供給し；
（ｄ）エステル化を行うのに充分な温度及び圧力において且つ、場合によっては、適当な触媒の存在下で前記反応器の内容物をエステル化し；
（ｅ）プレポリマーを生成せしめ；そして
（ｆ）重縮合を行ってポリエステルを生成せしめるのに充分な温度及び圧力において適当な触媒の存在下で前記プレポリマーを重縮合する
工程を含んでなるポリエステルの製造方法。
【請求項２】
イソソルビドモノマーに水を添加することによって前記イソソルビドの均質水溶液を得る請求項１に記載の方法。
【請求項３】
１〜９９重量％のイソソルビドを水に添加する（但し、イソソルビドと水の総重量％は１００重量％である）請求項２に記載の方法。
【請求項４】
６０〜９５重量％のイソソルビドを水に添加する請求項３に記載の方法。
【請求項５】
７０〜９０重量％のイソソルビドを水に添加する請求項４に記載の方法。
【請求項６】
イソソルビドの水溶液が本質的にイソソルビドと水のみからなり、イソソルビドの前記水溶液を反応器に供給する請求項１に記載の方法。
【請求項７】
水溶性添加剤及び／又はイソソルビド以外のモノマーを工程（ａ）のイソソルビド水溶液に添加する請求項６に記載の方法。
【請求項８】
非水溶性添加剤及び／又はモノマーを工程（ａ）のイソソルビド水溶液に添加する請求項６又は７に記載の方法。
【請求項９】
前記ポリエステルが０．２５〜５０モル％のイソソルビドを含み、ポリエスエル中のグリコールの総モル％が１００モル％である請求項１に記載の方法。
【請求項１０】
前記ポリエステルが０．２５〜３０モル％のイソソルビドを含む請求項９に記載の方法。
【請求項１１】
前記ポリエステルが２０〜３０モル％のイソソルビドを含む請求項１０に記載の方法。
【請求項１２】
前記ポリエステルが１〜２０モル％のイソソルビドを含む請求項１０に記載の方法。
【請求項１３】
前記ポリエステルが１〜８モル％のイソソルビドを含む請求項１２に記載の方法。
【請求項１４】
前記ポリエステルがイソソルビドとエチレングリコール、ブチレングリコール、プロピレングリコール、ネオペンチルグリコール及び１，４−シクロヘキサンジメタノールからなる群から選ばれた１種又はそれ以上のグリコールとを含む請求項１に記載の方法。
【請求項１５】
前記ポリエステルがイソソルビドとエチレングリコール及び１，４−シクロヘキサンジメタノールからなる群から選ばれた１種又はそれ以上のグリコールとを含む請求項１４に記載の方法。
【請求項１６】
前記ポリエステルがテレフタル酸、イソフタル酸及びナフタレンジカルボン酸からなる群から選ばれた１種又はそれ以上のジカルボン酸を含む請求項１に記載の方法。
【請求項１７】
前記ポリエステルがテレフタル酸及びイソフタル酸からなる群から選ばれた１種又はそれ以上のジカルボン酸を含む請求項１６に記載の方法。
【請求項１８】
前記ポリエステルがテレフタル酸を含む請求項１７に記載の方法。
【請求項１９】
前記ポリエステルがイソフタル酸を更に含む請求項１８に記載の方法。
【請求項２０】
前記ポリエステルが、テレフタル酸及びイソフタル酸からなる群から選ばれた１種又はそれ以上のジカルボン酸と、イソソルビド、１，４−シクロヘキサンジメタノール及びエチレングリコールからなる群から選ばれた１種又はそれ以上のグリコールとを含んでなる請求項１８に記載の方法。
【請求項２１】
前記ポリエステルがテレフタル酸８０〜１００モル％、エチレングリコール６０〜９９．７５モル％及びイソソルビド０．０１〜５０モル％（但し、ジカルボン酸成分の総モル％は１００モル％であり且つグリコール成分の総モル％は１００モル％である）を含んでなる請求項２０に記載の方法。
【請求項２２】
前記ポリエステルがイソソルビドを０．２５〜４０モル％含む請求項２１に記載の方法。
【請求項２３】
前記ポリエステルがイソソルビドを２〜２０モル％含む請求項２２に記載の方法。
【請求項２４】
前記ポリエステルがイソソルビドを２〜１０モル％含む請求項２３に記載の方法。
【請求項２５】
前記ポリエステルがエチレングリコールを８０〜９８モル％含む請求項２１に記載の方法。
【請求項２６】
前記ポリエステルがエチレングリコールを９０〜９８モル％含む請求項２１に記載の方法。
【請求項２７】
前記ポリエステルがテレフタル酸を９０〜１００モル％含む請求項２１に記載の方法。
【請求項２８】
前記ポリエステルがイソフタル酸を０〜１０モル％含む請求項２７に記載の方法。
【請求項２９】
前記ポリエステルが１，４−シクロヘキサンジメタノール５０〜９９．７５モル％、テレフタル酸８０〜１００モル％、イソソルビド０．２５〜５０モル％を含んでなり、そしてグリコール含量の残りが、もしあれば、エチレングリコールを含む（但し、グリコールの総モル％は合計１００モル％であり且つジカルボン酸の総モル％は合計１００モル％である）請求項２０に記載の方法。
【請求項３０】
前記ポリエステルがイソソルビドを１〜４０モル％含む請求項２９に記載の方法。
【請求項３１】
前記ポリエステルがイソソルビドを５〜３０モル％含む請求項３０に記載の方法。
【請求項３２】
前記ポリエステルがテレフタル酸を９０〜１００モル％含む請求項３１に記載の方法。
【請求項３３】
前記ポリエスエルがイソフタル酸を含む請求項２９に記載の方法。
【請求項３４】
前記ポリエステルが１，４−シクロヘキサンジメタノール５０〜９９．７５モル％、テレフタル酸８０〜１００モル％、イソソルビド０．２５〜５０モル％を含んでなり、そしてグリコール含量の残りが、もしあれば、エチレングリコールを含む（但し、グリコールの総モル％は合計１００モル％であり且つジカルボン酸の総モル％は合計１００モル％である）請求項２０に記載の方法。
【請求項３５】
前記ポリエステルがイソソルビドを５〜３０モル％含む請求項３４に記載の方法。
【請求項３６】
前記ポリエステルがイソソルビドを１０〜２０モル％含む請求項３５に記載の方法。
【請求項３７】
前記ポリエステルがテレフタル酸を９０〜１００モル％含む請求項３４に記載の方法。
【請求項３８】
前記ポリエスエルがイソフタル酸を含む請求項３７に記載の方法。
【請求項３９】
（ａ）イソソルビドの均質水溶液を入手し；
（ｂ）工程（ａ）の均質水溶液を反応器に供給し；
（ｃ）１種若しくはそれ以上のグリコール及び１種若しくはそれ以上のジカルボン酸を、工程（ａ）の水溶液中に、又は工程（ｂ）の前に、工程（ｂ）の間に及び／若しくは工程（ｂ）の後に、工程（ｂ）の反応器中に供給し；
（ｄ）エステル化を行うのに充分な温度及び圧力において且つ、場合によっては、適当な触媒の存在下で前記反応器の内容物をエステル化し；
（ｅ）プレポリマーを生成せしめ；そして
（ｆ）重縮合を行ってポリエステルを生成せしめるのに充分な温度及び圧力において適当な触媒の存在下で前記プレポリマーを重縮合する
工程を改良点とするテレフタル酸残基からの反復単位並びにイソソルビドとエチレングリコール残基及び１，４−シクロヘキサンジメタノール残基からなる群から選ばれた１種又はそれ以上のグリコールからの反復単位を含んでなるポリエステルを、エステル化及び／又はエステル交換とそれに続く重縮合によって製造する方法。